(57)【要約】  リーダライタ１０の非接触通信部１７１は、非接触ＩＣカード機能による非接触通信が可能である通信端末２０＿１の有無を判別し、非接触ＩＣカード機能による非接触通信が可能である通信端末２０＿１が有ると判別した場合、この通信端末２０＿１と所定情報を送受信する非接触ＩＣ通信を行う。また、リーダライタ１０の音声通信部１７２は、通信端末２０＿２の近接の有無を判別し、近接が有ると判別した際に、この通信端末２０＿２と所定の音声情報を送受信する音声通信を行う。
2012046885.tif 000002
【特許請求の範囲】
【請求項１】
通信端末の近接の有無を判別する近接判別手段と、
非接触ＩＣカード機能による非接触通信が可能である通信端末の有無を判別する非接触通信判別手段と、
前記近接判別手段が通信端末の近接が有ると判別した際に、該通信端末と所定の音声情報を送信又は／及び受信する音声通信を行う音声通信手段と、
前記非接触通信判別手段が非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信手段と、
を備えることを特徴とするリーダライタ。
【請求項２】
非接触ＩＣカード機能による非接触通信が可能である通信端末の有無を判別する非接触通信判別手段と、
前記非接触通信判別手段が非接触ＩＣカード機能による非接触通信が可能である通信端末が有ると判別した際に、該通信端末と非接触ＩＣカード機能により所定情報を送信又は／及び受信する非接触ＩＣ通信を行う非接触ＩＣ通信手段と、
前記非接触通信判別手段が非接触ＩＣカード機能による非接触通信が可能である通信端末が無いと判別した際に、通信端末の近接の有無を判別する近接判別手段と、
前記近接判別手段が通信端末の近接が有ると判別した際に、該通信端末と所定の音声情報を送信又は／及び受信する音声通信を行う音声通信手段と、
を備えることを特徴とするリーダライタ。
【請求項３】
通信端末の近接の有無を判別する近接判別手段と、
前記近接判別手段が通信端末の近接が有ると判別した際に、非接触ＩＣカード機能による非接触通信が可能である通信端末の有無を判別する非接触通信判別手段と、
前記非接触通信判別手段が非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信手段と、
前記非接触通信判別手段が非接触ＩＣカード機能による非接触通信が可能である通信端末が無いと判別した際に、前記近接判別手段が近接が有ると判別した通信端末と所定の音声情報を送信又は／及び受信する音声通信を行う音声通信手段と、
を備えることを特徴とするリーダライタ。
【請求項４】
通信端末の近接の有無を判別する第１の近接判別手段と、
前記第１の近接判別手段が通信端末の近接が有ると判別した際に、非接触ＩＣカード機能による非接触通信が可能である通信端末の有無を判別する非接触通信判別手段と、
前記非接触通信判別手段が非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信手段と、
前記非接触通信判別手段が非接触ＩＣカード機能による非接触通信が可能である通信端末が無いと判別した際に、前記第１の近接判別手段による通信端末の近接の検出感度よりも低い検出感度で通信端末の近接の有無を判別する第２の近接判別手段と、
前記第２の近接判別手段が近接が有ると判別した通信端末と所定の音声情報を送信又は／及び受信する音声通信を行う音声通信手段と、
を備えることを特徴とするリーダライタ。
【請求項５】
前記近接判別手段は近接センサ又は加速度センサを備え、
前記近接判別手段は、該近接センサ又は加速度センサの検出結果に基づいて、通信端末の近接の有無を判別する、
ことを特徴とする請求項１乃至４の何れか１項に記載のリーダライタ。
【請求項６】
前記音声通信手段は、前記非接触ＩＣ通信手段が送信する所定情報を音声信号に変換し、変換した所定の音声情報を前記通信端末に送信する、
ことを特徴とする請求項１乃至５の何れか１項に記載のリーダライタ。
【請求項７】
前記音声通信手段は、前記通信端末から受信した所定の音声信号から前記所定情報を取得する、
ことを特徴とする請求項１乃至６の何れか１項に記載のリーダライタ。
【請求項８】
通信端末の近接の有無を判別する近接判別ステップと、
非接触ＩＣカード機能による非接触通信が可能である通信端末の有無を判別する非接触通信判別ステップと、
前記近接判別ステップで通信端末の近接が有ると判別した際に、該通信端末と所定の音声情報を送信又は／及び受信する音声通信を行う音声通信ステップと、
前記非接触通信判別ステップで非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信ステップと、
を備えることを特徴とする通信方法。
【請求項９】
非接触ＩＣカード機能による非接触通信が可能である通信端末の有無を判別する非接触通信判別ステップと、
前記非接触通信判別ステップで非接触ＩＣカード機能による非接触通信が可能である通信端末が有ると判別した際に、該通信端末と非接触ＩＣカード機能により所定情報を送信又は／及び受信する非接触ＩＣ通信を行う非接触ＩＣ通信ステップと、
前記非接触通信判別ステップで非接触ＩＣカード機能による非接触通信が可能である通信端末が無いと判別した際に、通信端末の近接の有無を判別する近接判別ステップと、
前記近接判別ステップで通信端末の近接が有ると判別した際に、該通信端末と所定の音声情報を送信又は／及び受信する音声通信を行う音声通信ステップと、
を備えることを特徴とする通信方法。
【請求項１０】
通信端末の近接の有無を判別する近接判別ステップと、
前記近接判別ステップで通信端末の近接が有ると判別した際に、非接触ＩＣカード機能による非接触通信が可能である通信端末の有無を判別する非接触通信判別ステップと、
前記非接触通信判別ステップで非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信ステップと、
前記非接触通信判別ステップで非接触ＩＣカード機能による非接触通信が可能である通信端末が無いと判別した際に、前記近接判別ステップが近接が有ると判別した通信端末と所定の音声情報を送信又は／及び受信する音声通信を行う音声通信ステップと、
を備えることを特徴とする通信方法。
【請求項１１】
通信端末の近接の有無を判別する第１の近接判別ステップと、
前記第１の近接判別ステップで通信端末の近接が有ると判別した際に、非接触ＩＣカード機能による非接触通信が可能である通信端末の有無を判別する非接触通信判別ステップと、
前記非接触通信判別ステップで非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信ステップと、
前記非接触通信判別ステップで非接触ＩＣカード機能による非接触通信が可能である通信端末が無いと判別した際に、前記第１の近接判別ステップにおける通信端末の近接の検出感度よりも低い検出感度で通信端末の近接の有無を判別する第２の近接判別ステップと、
前記第２の近接判別ステップで近接が有ると判別した通信端末と所定の音声情報を送信又は／及び受信する音声通信を行う音声通信ステップと、
を備えることを特徴とする通信方法。
【請求項１２】
コンピュータを、
通信端末の近接の有無を判別する近接判別手段、
非接触ＩＣカード機能による非接触通信が可能である通信端末の有無を判別する非接触通信判別手段、
前記近接判別手段が通信端末の近接が有ると判別した際に、該通信端末と所定の音声情報を送信又は／及び受信する音声通信を行う音声通信手段、
前記非接触通信判別手段が非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信手段、
として機能させることを特徴とするプログラム。
【請求項１３】
コンピュータを、
非接触ＩＣカード機能による非接触通信が可能である通信端末の有無を判別する非接触通信判別手段、
前記非接触通信判別手段が非接触ＩＣカード機能による非接触通信が可能である通信端末が有ると判別した際に、該通信端末と非接触ＩＣカード機能により所定情報を送信又は／及び受信する非接触ＩＣ通信を行う非接触ＩＣ通信手段、
前記非接触通信判別手段が非接触ＩＣカード機能による非接触通信が可能である通信端末が無いと判別した際に、通信端末の近接の有無を判別する近接判別手段、
前記近接判別手段が通信端末の近接が有ると判別した際に、該通信端末と所定の音声情報を送信又は／及び受信する音声通信を行う音声通信手段、
として機能させることを特徴とするプログラム。
【請求項１４】
コンピュータを、
通信端末の近接の有無を判別する近接判別手段、
前記近接判別手段が通信端末の近接が有ると判別した際に、非接触ＩＣカード機能による非接触通信が可能である通信端末の有無を判別する非接触通信判別手段、
前記非接触通信判別手段が非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信手段、
前記非接触通信判別手段が非接触ＩＣカード機能による非接触通信が可能である通信端末が無いと判別した際に、前記近接判別手段が近接が有ると判別した通信端末と所定の音声情報を送信又は／及び受信する音声通信を行う音声通信手段、
として機能させることを特徴とするプログラム。
【請求項１５】
コンピュータを、
通信端末の近接の有無を判別する第１の近接判別手段、
前記第１の近接判別手段が通信端末の近接が有ると判別した際に、非接触ＩＣカード機能による非接触通信が可能である通信端末の有無を判別する非接触通信判別手段、
前記非接触通信判別手段が非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信手段、
前記非接触通信判別手段が非接触ＩＣカード機能による非接触通信が可能である通信端末が無いと判別した際に、前記第１の近接判別手段による通信端末の近接の検出感度よりも低い検出感度で通信端末の近接の有無を判別する第２の近接判別手段、
前記第２の近接判別手段が近接が有ると判別した通信端末と所定の音声情報を送信又は／及び受信する音声通信を行う音声通信手段、
として機能させることを特徴とするプログラム。
【発明の詳細な説明】
【技術分野】
【０００１】
本発明は、リーダライタ、通信方法、及び、プログラムに関する。
【背景技術】
【０００２】
非接触ＩＣカード機能を有する通信端末と非接触通信を行い、当該通信端末に様々な情報やサービスを提供するリーダライタがある。【０００３】
特許文献１には、近接された携帯端末と非接触通信を行い、近接された際の状況に応じた各種の処理を携帯端末に実行させることを特徴とするリーダライタについて記載されている。【０００４】
また、音声信号を送受信することにより近接された通信端末と音声通信を行い、情報やサービスを提供することができる装置も知られている。【０００５】
例えば、特許文献２には、通報装置と汎用装置とが、ＤＴＭＦ（Dual-Tone Multi-Frequency）信号や音階信号を送受信する。これにより、通報装置におけるシステムデータの登録を効率的に行うことが記載されている。
【先行技術文献】
【特許文献】
【０００６】
【特許文献１】特開２００９−０５３７９０号公報
【特許文献２】特開２００６−１１４９６３号公報
【発明の概要】
【発明が解決しようとする課題】
【０００７】
非接触通信に対応した通信端末及び音声通信に対応した通信端末のどちらに対しても情報やサービスを供給したい場合、それぞれの通信方式に対応したリーダライタ等の装置を別々に設ける必要があり、設置スペースやコストの面で問題があった。【０００８】
また、非接触通信と音声通信との両方の機能を備えるようにリーダライタを構成することも考えられる。しかし、その場合であっても、それぞれの通信に対応した非接触面（タッチ面）を別々に設ける必要があることから装置が大型化してしまい、依然として、設置スペースやコストの面で問題があった。【０００９】
本発明は、上記実情に鑑みてなされたものであり、省スペース且つ低コストで、非接触ＩＣカード機能による非接触通信と音声通信との両方の通信に対応することができるリーダライタ、通信方法、及び、プログラムを提供することを目的とする。
【課題を解決するための手段】
【００１０】
上記目的を達成するため、本発明の第１の観点に係るリーダライタは、
通信端末の近接の有無を判別する近接判別手段と、
非接触ＩＣカード機能による非接触通信が可能である通信端末の有無を判別する非接触通信判別手段と、
前記近接判別手段が通信端末の近接が有ると判別した際に、該通信端末と所定の音声情報を送信又は／及び受信する音声通信を行う音声通信手段と、
前記非接触通信判別手段が非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信手段と、
を備えることを特徴とする。【００１１】
上記目的を達成するため、本発明の第２の観点に係るリーダライタは、
非接触ＩＣカード機能による非接触通信が可能である通信端末の有無を判別する非接触通信判別手段と、
前記非接触通信判別手段が非接触ＩＣカード機能による非接触通信が可能である通信端末が有ると判別した際に、該通信端末と非接触ＩＣカード機能により所定情報を送信又は／及び受信する非接触ＩＣ通信を行う非接触ＩＣ通信手段と、
前記非接触通信判別手段が非接触ＩＣカード機能による非接触通信が可能である通信端末が無いと判別した際に、通信端末の近接の有無を判別する近接判別手段と、
前記近接判別手段が通信端末の近接が有ると判別した際に、該通信端末と所定の音声情報を送信又は／及び受信する音声通信を行う音声通信手段と、
を備えることを特徴とする。【００１２】
上記目的を達成するため、本発明の第３の観点に係るリーダライタは、
通信端末の近接の有無を判別する近接判別手段と、
前記近接判別手段が通信端末の近接が有ると判別した際に、非接触ＩＣカード機能による非接触通信が可能である通信端末の有無を判別する非接触通信判別手段と、
前記非接触通信判別手段が非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信手段と、
前記非接触通信判別手段が非接触ＩＣカード機能による非接触通信が可能である通信端末が無いと判別した際に、前記近接判別手段が近接が有ると判別した通信端末と所定の音声情報を送信又は／及び受信する音声通信を行う音声通信手段と、
を備えることを特徴とする。【００１３】
上記目的を達成するため、本発明の第４の観点に係るリーダライタは、
通信端末の近接の有無を判別する第１の近接判別手段と、
前記第１の近接判別手段が通信端末の近接が有ると判別した際に、非接触ＩＣカード機能による非接触通信が可能である通信端末の有無を判別する非接触通信判別手段と、
前記非接触通信判別手段が非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信手段と、
前記非接触通信判別手段が非接触ＩＣカード機能による非接触通信が可能である通信端末が無いと判別した際に、前記第１の近接判別手段による通信端末の近接の検出感度よりも低い検出感度で通信端末の近接の有無を判別する第２の近接判別手段と、
前記第２の近接判別手段が近接が有ると判別した通信端末と所定の音声情報を送信又は／及び受信する音声通信を行う音声通信手段と、
を備えることを特徴とする。【００１４】
前記近接判別手段は近接センサ又は加速度センサを備え、
前記近接判別手段は、該近接センサ又は加速度センサの検出結果に基づいて、通信端末の近接の有無を判別してもよい。【００１５】
前記音声通信手段は、前記非接触ＩＣ通信手段が送信する所定情報を音声信号に変換し、変換した所定の音声情報を前記通信端末に送信してもよい。【００１６】
前記音声通信手段は、前記通信端末から受信した所定の音声信号から前記所定情報を取得してもよい。【００１７】
上記目的を達成するため、本発明の第５の観点に係る通信方法は、
通信端末の近接の有無を判別する近接判別ステップと、
非接触ＩＣカード機能による非接触通信が可能である通信端末の有無を判別する非接触通信判別ステップと、
前記近接判別ステップで通信端末の近接が有ると判別した際に、該通信端末と所定の音声情報を送信又は／及び受信する音声通信を行う音声通信ステップと、
前記非接触通信判別ステップで非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信ステップと、
を備えることを特徴とする。【００１８】
上記目的を達成するため、本発明の第６の観点に係る通信方法は、
非接触ＩＣカード機能による非接触通信が可能である通信端末の有無を判別する非接触通信判別ステップと、
前記非接触通信判別ステップで非接触ＩＣカード機能による非接触通信が可能である通信端末が有ると判別した際に、該通信端末と非接触ＩＣカード機能により所定情報を送信又は／及び受信する非接触ＩＣ通信を行う非接触ＩＣ通信ステップと、
前記非接触通信判別ステップで非接触ＩＣカード機能による非接触通信が可能である通信端末が無いと判別した際に、通信端末の近接の有無を判別する近接判別ステップと、
前記近接判別ステップで通信端末の近接が有ると判別した際に、該通信端末と所定の音声情報を送信又は／及び受信する音声通信を行う音声通信ステップと、
を備えることを特徴とする。【００１９】
上記目的を達成するため、本発明の第７の観点に係る通信方法は、
通信端末の近接の有無を判別する近接判別ステップと、
前記近接判別ステップで通信端末の近接が有ると判別した際に、非接触ＩＣカード機能による非接触通信が可能である通信端末の有無を判別する非接触通信判別ステップと、
前記非接触通信判別ステップで非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信ステップと、
前記非接触通信判別ステップで非接触ＩＣカード機能による非接触通信が可能である通信端末が無いと判別した際に、前記近接判別ステップが近接が有ると判別した通信端末と所定の音声情報を送信又は／及び受信する音声通信を行う音声通信ステップと、
を備えることを特徴とする。【００２０】
上記目的を達成するため、本発明の第８の観点に係る通信方法は、
通信端末の近接の有無を判別する第１の近接判別ステップと、
前記第１の近接判別ステップで通信端末の近接が有ると判別した際に、非接触ＩＣカード機能による非接触通信が可能である通信端末の有無を判別する非接触通信判別ステップと、
前記非接触通信判別ステップで非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信ステップと、
前記非接触通信判別ステップで非接触ＩＣカード機能による非接触通信が可能である通信端末が無いと判別した際に、前記第１の近接判別ステップにおける通信端末の近接の検出感度よりも低い検出感度で通信端末の近接の有無を判別する第２の近接判別ステップと、
前記第２の近接判別ステップで近接が有ると判別した通信端末と所定の音声情報を送信又は／及び受信する音声通信を行う音声通信ステップと、
を備えることを特徴とする。【００２１】
上記目的を達成するため、本発明の第９の観点に係るプログラムは、
コンピュータを、
通信端末の近接の有無を判別する近接判別手段、
非接触ＩＣカード機能による非接触通信が可能である通信端末の有無を判別する非接触通信判別手段、
前記近接判別手段が通信端末の近接が有ると判別した際に、該通信端末と所定の音声情報を送信又は／及び受信する音声通信を行う音声通信手段、
前記非接触通信判別手段が非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信手段、
として機能させることを特徴とする。【００２２】
上記目的を達成するため、本発明の第１０の観点に係るプログラムは、
コンピュータを、
非接触ＩＣカード機能による非接触通信が可能である通信端末の有無を判別する非接触通信判別手段、
前記非接触通信判別手段が非接触ＩＣカード機能による非接触通信が可能である通信端末が有ると判別した際に、該通信端末と非接触ＩＣカード機能により所定情報を送信又は／及び受信する非接触ＩＣ通信を行う非接触ＩＣ通信手段、
前記非接触通信判別手段が非接触ＩＣカード機能による非接触通信が可能である通信端末が無いと判別した際に、通信端末の近接の有無を判別する近接判別手段、
前記近接判別手段が通信端末の近接が有ると判別した際に、該通信端末と所定の音声情報を送信又は／及び受信する音声通信を行う音声通信手段、
として機能させることを特徴とする。【００２３】
上記目的を達成するため、本発明の第１１の観点に係るプログラムは、
コンピュータを、
通信端末の近接の有無を判別する近接判別手段、
前記近接判別手段が通信端末の近接が有ると判別した際に、非接触ＩＣカード機能による非接触通信が可能である通信端末の有無を判別する非接触通信判別手段、
前記非接触通信判別手段が非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信手段、
前記非接触通信判別手段が非接触ＩＣカード機能による非接触通信が可能である通信端末が無いと判別した際に、前記近接判別手段が近接が有ると判別した通信端末と所定の音声情報を送信又は／及び受信する音声通信を行う音声通信手段、
として機能させることを特徴とする。【００２４】
上記目的を達成するため、本発明の第１２の観点に係るプログラムは、
コンピュータを、
通信端末の近接の有無を判別する第１の近接判別手段、
前記第１の近接判別手段が通信端末の近接が有ると判別した際に、非接触ＩＣカード機能による非接触通信が可能である通信端末の有無を判別する非接触通信判別手段、
前記非接触通信判別手段が非接触ＩＣカード機能による非接触通信が可能である通信端末が有ると判別した場合、該通信端末と非接触ＩＣカード機能により所定情報を送信又は／及び受信する非接触ＩＣ通信を行う非接触ＩＣ通信手段、
前記非接触通信判別手段が非接触ＩＣカード機能による非接触通信が可能である通信端末が無いと判別した際に、前記第１の近接判別手段による通信端末の近接の検出感度よりも低い検出感度で通信端末の近接の有無を判別する第２の近接判別手段、
前記第２の近接判別手段が近接が有ると判別した通信端末と所定の音声情報を送信又は／及び受信する音声通信を行う音声通信手段、
として機能させることを特徴とする。
【発明の効果】
【００２５】
本発明によれば、１つのリーダライタに非接触ＩＣ機能による通信を行う非接触通信部と音声信号による通信を行う音声通信部とを有するため、省スペース且つ低コストで、非接触ＩＣカード機能による非接触通信と音声通信との両方の通信に対応することができる。
【図面の簡単な説明】
【００２６】
【図１】本発明の各実施形態に係るリーダライタを備えたシステムの構成を示す図である。
【図２】本発明の各実施形態に係るリーダライタの構成を示すブロック図である。
【図３Ａ】非接触通信処理の動作を説明するためのフローチャートである。
【図３Ｂ】音声通信処理の動作を説明するためのフローチャートである。
【図４Ａ】音声通信処理の送信時の動作を説明するためのフローチャートである。
【図４Ｂ】音声通信処理の受信時の動作を説明するためのフローチャートである。
【図５】本発明の第２の実施形態に係るリーダライタによる通信処理の動作を説明するためのフローチャートである。
【図６】本発明の第３の実施形態に係るリーダライタによる通信処理の動作を説明するためのフローチャートである。
【図７】本発明の第４の実施形態に係るリーダライタによる通信処理の動作を説明するためのフローチャートである。
【発明を実施するための形態】
【００２７】
以下、本発明の実施形態について、図面を参照しながら詳細に説明する。なお、本発明は下記の実施形態及び図面によって限定されるものではない。本発明の要旨を変更しない範囲で下記の実施形態及び図面に変更を加えることが出来るのはもちろんである。また、図中同一または相当部分には同一符号を付す。
【００２８】
＜第１の実施形態＞
本発明の第１の実施形態に係るリーダライタ１０を備えたシステムの構成を図１に示す。本発明の実施形態に係るリーダライタ１０は、例えば、スーパーマーケットや飲食店などの店舗の店頭に設置される。リーダライタ１０は、近接されたユーザ（顧客）の通信端末２０と非接触ＩＣカード機能による非接触通信、又は音声通信を行い、クーポン情報や店舗サイトのＵＲＬ等を送信したり、通信端末２０からユーザのＩＤ情報を受信する。なお、通信端末２０は、非接触ＩＣカード機能を備えているものと、マイクやスピーカを備えて音声通信可能なものとの２種類がある。本実施形態では、非接触ＩＣカード機能を備える通信端末２０を通信端末２０１、音声通信機能を備える通信端末２０を通信端末２０２として区別する。また、通信方式を問わないときは、単に通信端末２０とする。
【００２９】
図２を参照して、リーダライタ１０の構成を説明する。リーダライタ１０は、近接検知部１１と、非接触ＩＣチップ１２と、放音部１３と、集音部１４と、計時部１５と、記憶部１６と、制御部１７とを備える。
【００３０】
近接検知部１１は、リーダライタ１０の非接触面（タッチ面）に設けられる。タッチ面は、例えば、リーダライタ１０の筐体における平面状の領域である。近接検知部１１は、例えば、高周波発振型の近接センサによって構成され、通信端末２０等の物体の近接を検知する。近接検知部１１は、制御部１７の制御によって少なくとも２段階の検出感度を設定することができる。近接検知部１１による物体の検出可能範囲は、検出感度が高い場合には、検出感度が低い場合よりも広くなる。なお、本発明では、物体がリーダライタ１０に「衝突」することも、「近接」の一種として扱われる。具体的には、近接検知部１１は、近接センサにより通信端末２０等の金属物体が近接したことや衝突したことを検知し、検知したことを示す検知信号を制御部１７に出力する。
【００３１】
非接触ＩＣチップ１２は、アンテナ、変調回路、復調回路、高周波増幅回路などを備え、制御部１７の指示に基づいて、近接された非接触ＩＣカード機能を有する通信端末２０１と非接触通信を行い、各種の情報を送受信する。
具体的には、非接触ＩＣチップ１２は、送信時の動作として、搬送波を生成し、制御部１７より供給されたデータを用いてこの搬送波を公知の手法により変調した変調波を生成する。そして、非接触ＩＣチップ１２は、生成した変調波を増幅して、アンテナを介して、近接された通信端末２０１へと無線送信する。また、非接触ＩＣチップ１２は、受信時の動作として、アンテナを介して、近接された通信端末２０１から送信された変調波を受信する。そして、非接触ＩＣチップ１２は、受信した変調波を増幅して復調し、復調により得られたデータを制御部１７に供給する。
【００３２】
放音部１３は、スピーカ等によって構成され、制御部１７の指示に基づいて、各種の音声信号を出力する。制御部１７は、送信データ１６２を音声信号に変換し放音部１３に供給する。放音部１３は、制御部１７の制御のもと、音声信号を出力する。
【００３３】
集音部１４は、集音マイク等によって構成され、制御部１７の制御のもと、周囲の音声信号を集音し、制御部１７に供給する。制御部１７は、集音部１４から供給された音信号に対して、所定の方式で復調及び復号し、データを取得する。
【００３４】
計時部１５は、タイマ等によって構成される。計時部１５は、制御部１７の制御のもと、現在時刻の計時や、所定時間のカウント等を行う。
【００３５】
記憶部１６は、例えば、ハードディスク、フラッシュメモリ、ＲＡＭ（Random Access Memory）及びＲＯＭ（Read Only Memory）等によって構成される。記憶部１６は、制御部１７が動作するためのメインメモリ及びワークメモリとして機能する。また、記憶部１６は、制御部１７によって実行される動作プログラム１６１と、送信データ１６２と、ポーリング信号１６３とを記憶する。
【００３６】
送信データ１６２は、近接された非接触ＩＣカード機能を有する通信端末２０に送信するデータである。送信データ１６２は、例えば、店舗のホームページへのアクセス先を示すＵＲＬ情報等であり、リーダライタ１０の管理者等によって適宜設定される情報である。
【００３７】
ポーリング信号１６３は、非接触ＩＣチップ１２から送信され、近接された非接触ＩＣカード機能を有する通信端末２０を認識するためのテスト用の信号である。通信端末２０は、ポーリング信号１６３を受信すると、そのレスポンス信号を送信元であるリーダライタ１０に返信する。従って、リーダライタ１０は、レスポンス信号の有無を確認することにより、非接触ＩＣカード機能を有する通信端末２０の近接の有無を判別することが可能となる。
【００３８】
制御部１７は、例えば、ＣＰＵ（Central Processing Unit）によって構成される。制御部１７は、記憶部１６に記憶されている動作プログラム１６１を実行することで動作し、リーダライタ１０の各部を制御する。
【００３９】
また、制御部１７は、機能的に、非接触通信部と音声通信部とを備える。非接触通信部１７１と音声通信部１７２とは、互いに独立して動作する。
【００４０】
非接触通信部１７１は、非接触ＩＣチップ１２を制御して、送信データ１６２を通信端末２０１に送信したり、所定情報を受信する非接触通信を行う。非接触通信部の行う処理の詳細については後述する。
【００４１】
音声通信部１７２は、放音部１３及び集音部１４を制御して、近接された通信端末２０２と音声情報の送受信を行う。音声通信部１７２の行う処理の詳細については後述する。
【００４２】
続いて、リーダライタ１０の非接触通信部１７１と音声通信部１７２とにより実施される通信処理の動作について説明する。
【００４３】
（非接触通信処理）
始めに、非接触通信部１７１が実施する非接触通信処理について、図３Ａのフローチャートを参照して説明する。
【００４４】
リーダライタ１０に電源が投入された場合又は処理開始の指示入力を受信した場合等に、非接触通信処理は開始される。まず、非接触通信部１７１は、非接触ＩＣチップ１２から非接触ＩＣカードを捕捉するためのポーリング信号１６３を送信させる（ステップＳ１０１）。そして、非接触通信部１７１は、ポーリング信号１６３を送信してから所定時間内に、レスポンス信号を非接触ＩＣチップ１２が受信したか否かを判別する（ステップＳ１０２）。
【００４５】
レスポンス信号を受信していないと判別された場合（ステップＳ１０２；Ｎｏ）、非接触ＩＣカード機能を有している通信端末２０１は、リーダライタ１０に近接していないとみなされる。従って、非接触通信部１７１は、計時部１５を制御して所定時間待機し（ステップＳ１０３）、ポーリング信号１６３を送信する処理を繰り返す（ステップＳ１０１）。
【００４６】
レスポンス信号を受信したと判別された場合（ステップＳ１０２；Ｙｅｓ）、非接触ＩＣカード機能を有している通信端末２０１は、リーダライタ１０に近接しているとみなされる。従って、非接触通信部１７１は、非接触ＩＣチップ１２を制御して、通信端末２０１と非接触通信を行う（ステップＳ１０４）。具体的には、非接触通信部１７１は、通信端末２０１に送信データ１６２を送信したり、通信端末２０１から所定情報を受信する。
【００４７】
非接触通信が終了すると、非接触通信部１７１は、所定時間待機し（ステップＳ１０２）、ポーリング信号１６３を送信する処理（ステップＳ１０１）を繰り返す。
【００４８】
（音声通信処理）
続いて、音声通信部１７２が実施する音声通信処理について、図３Ｂのフローチャートを参照して説明する。
【００４９】
リーダライタ１０に電源が投入された場合又は処理開始の指示入力を受信した場合等に、音声通信処理は開始される。まず、音声通信部１７２は、通信端末２０の近接の有無を判別する（ステップＳ２０１）。具体的には、音声通信部１７２は、近接検知部１１から近接信号が入力されたか否かを判別する。
【００５０】
近接が無いと判別された場合（ステップＳ２０１；Ｎｏ）、音声通信部１７２は、計時部１５を制御して所定時間待機し（ステップＳ２０２）、再度通信端末２０の近接の有無を判別する（ステップＳ２０１）。
【００５１】
近接が有ると判別された場合（ステップＳ２０１；Ｙｅｓ）、音声通信部１７２は、近接された通信端末２０と音声情報を送受信する音声通信を行う（ステップＳ２０３）。
【００５２】
ここで、音声通信（ステップＳ２０３）の動作の詳細について、図４を参照して説明する。図４Ａは音声通信の送信時の処理、図４Ｂは音声通信の受信時の処理を示したフローチャートである。
【００５３】
最初に、音声通信の送信時の処理について、図４Ａを参照して説明する。まず、音声通信部１７２は、所定の変換ルールに基づいて、送信データ１６２を音声信号に変換する（ステップＳ３０１）。例えば、記憶部１６に、文字（アルファベット）毎に、各文字に対応した周波数を記憶するテーブルを記憶しておく。そして、送信データ１６２が文字列で有る場合、音声通信部１７２は、該テーブルを参照して、送信データ１６２が示す各文字を対応する周波数の音声信号に変換すればよい。
【００５４】
続いて、音声通信部１７２は、変換した音声信号を放音部１３から放音させる（ステップＳ３０２）。例えば、音声通信部１７２は、変換した文字列を示す各周波数の音声信号を、１文字毎に一定の時間間隔で、放音部１３から放音させればよい。以上で、音声通信の送信時に処理は終了する。
【００５５】
なお、予め記憶部１６に音声信号を記憶させておき、音声通信の送信時の処理として、音声通信部１７２は、その音声信号を放音部１３から放音させてもよい。また、記憶部１６に記憶させる音声信号は、送信データ１６２を音声変換したもので無くてもよい。このようにすることで、送信データ１６２を音声信号に変換する処理が不要となるため、処理をより高速化することが可能となる。
【００５６】
続いて、音声通信の受信時の処理について、図４Ｂを参照して説明する。まず、音声通信部１７２は、集音部１４を制御して、音声信号を収音する（ステップＳ４０１）。
【００５７】
続いて、音声通信部１７２は、集音した音声信号を所定の変換ルールに基づいて変換し、所定の情報（例えば、ユーザのＩＤ情報等）を取得し（ステップＳ２０３）、処理はステップＳ１０１に戻る。例えば、制御部１７は、集音部１４が連続的に集音した周波数が異なる音声信号を、上述のテーブルを参照して変換して、文字列を取得すればよい。以上で、音声通信の受信時に処理は終了する。
【００５８】
なお、音声通信部１７２は、音声情報を送信する処理（図４Ａ）と受信する処理（図４Ｂ）とを、通信内容に応じて繰り返し行ってもよい。
【００５９】
図３Ｂに戻り、音声通信（ステップＳ２０３）が終了すると、音声通信部１７２は、所定時間待機し（ステップＳ２０２）、通信端末２０の近接を判別する処理（ステップＳ２０１）を繰り返す。
【００６０】
このように、本実施形態では、非接触通信部１７１による非接触通信処理と、音声通信部１７２による音声通信処理とが独立した別々の処理として、リーダライタ１０で実施される。従って、非接触ＩＣカード機能を有している通信端末２０１および音声通信機能を有している通信端末２０２のどちらであっても、通信（情報の送受信）を行うことが可能となる。また、非接触通信部１７１による非接触通信処理と音声通信部１７２による音声通信処理とで、タッチ面に設けられた同じ近接検知部１１を併用することができる。従って、省スペース且つ低コストで、非接触ＩＣカード機能による非接触通信と音声通信との両方に対応した通信を行うことが可能となる。
【００６１】
＜第２の実施形態＞
続いて、本発明の第２の実施形態に係るリーダライタ１０について説明する。第２の実施形態では、第１の実施形態と異なり、非接触通信部１７１と音声通信部１７２とが連携して動作することを特徴とする。なお、第２の実施形態に係るリーダライタ１０は、第１の実施形態と同様の構成を有するため、構成の説明については省略する。
【００６２】
第２の実施形態に係るリーダライタ１０で行われる通信処理について、図５のフローチャートを参照して説明する。
【００６３】
リーダライタ１０に電源が投入された場合又は処理開始の指示入力を受信した場合等に、通信処理は開始される。まず、非接触通信部１７１は、ポーリング信号１６３を送信させる（ステップＳ５０１）。そして、非接触通信部１７１は、ポーリング信号１６３を送信してから所定時間内に、レスポンス信号を非接触ＩＣチップ１２が受信したか否かを判別する（ステップＳ５０２）。
【００６４】
レスポンス信号を受信したと判別された場合（ステップＳ５０２；Ｙｅｓ）、非接触ＩＣカード機能を有している通信端末２０１は、リーダライタ１０に近接しているとみなされる。従って、非接触通信部１７１は、非接触ＩＣチップ１２を制御して、通信端末２０１と非接触通信を行う（ステップＳ５０３）。非接触通信が終了すると、非接触通信部１７１は、計時部１５を制御して所定時間待機し（ステップＳ５０４）、ステップＳ５０１に処理は戻る。
【００６５】
レスポンス信号を受信していないと判別された場合（ステップＳ５０２；Ｎｏ）、音声通信部１７２は、通信端末２０の近接の有無を判別する（ステップＳ５０５）。具体的には、音声通信部１７２は、近接検知部１１から近接信号が入力されたか否かを判別する。
【００６６】
近接が無いと判別された場合（ステップＳ５０５；Ｎｏ）、音声通信部１７２は、計時部１５を制御して所定時間待機し（ステップＳ５０３）、ステップＳ５０１に処理は戻る。
【００６７】
近接が有ると判別された場合（ステップＳ５０５；Ｙｅｓ）、音声通信部１７３は、音声通信部１７２は、近接された通信端末２０と音声情報を送受信する音声通信を行う（ステップＳ５０６）。音声通信が終了すると、音声通信部１７２は、計時部１５を制御して所定時間待機し（ステップＳ５０４）、ステップＳ５０１に処理は戻る。
【００６８】
このように、第２の実施形態では、第１の実施形態とは異なり、非接触通信部１７１と音声通信部１７２とが連携して一連の通信処理を行う。具体的には、第２の実施形態では、非接触通信部１７１がレスポンス信号を検出しなかったときに、音声通信部１７２が通信端末２０の近接の有無を判別する。従って、本実施形態に係るリーダライタ１０は、非接触通信部１７１と音声通信部１７２とがそれぞれ独立してレスポンス信号の有無と近接の有無とを常時判別している第１の実施形態に係るリーダライタ１０よりも、消費電力を少なくすることが可能となる。
【００６９】
＜第３の実施形態＞
続いて、本発明の第３の実施形態に係るリーダライタ１０について説明する。第３の実施形態でも、第２の実施形態と同様に、非接触通信部１７１と音声通信部１７２とが連携して動作することを特徴とする。なお、第３の実施形態に係るリーダライタ１０は、第１の実施形態と同様の構成を有するため、構成の説明については省略する。
【００７０】
第３の実施形態に係るリーダライタ１０で行われる通信処理について、図６のフローチャートを参照して説明する。
【００７１】
リーダライタ１０に電源が投入された場合又は処理開始の指示入力を受信した場合等に、通信処理は開始される。まず、音声通信部１７２は、通信端末２０の近接の有無を判別する（ステップＳ６０１）。具体的には、音声通信部１７２は、近接検知部１１から近接信号が入力されたか否かを判別する。
【００７２】
近接が無いと判別された場合（ステップＳ６０１；Ｎｏ）、音声通信部１７２は、計時部１５を制御して所定時間待機し（ステップＳ６０２）、ステップＳ６０１に処理は戻る。
【００７３】
近接が有ると判別された場合（ステップＳ６０１；Ｙｅｓ）、非接触通信部１７１は、ポーリング信号１６３を送信させる（ステップＳ６０３）。そして、非接触通信部１７１は、ポーリング信号１６３を送信してから所定時間内に、レスポンス信号を非接触ＩＣチップ１２が受信したか否かを判別する（ステップＳ６０４）。
【００７４】
レスポンス信号を受信したと判別された場合（ステップＳ６０４；Ｙｅｓ）、非接触ＩＣカード機能を有している通信端末２０１は、リーダライタ１０に近接しているとみなされる。従って、非接触通信部１７１は、非接触ＩＣチップ１２を制御して、通信端末２０１と非接触通信を行う（ステップＳ６０５）。非接触通信が終了すると、非接触通信部１７１は、計時部１５を制御して所定時間待機し（ステップＳ６０２）、ステップＳ６０１に処理は戻る。
【００７５】
レスポンス信号を受信していないと判別された場合（ステップＳ６０４；Ｎｏ）、音声通信部１７２は、ステップＳ６０１で近接有りと判別された通信端末２０と音声情報を送受信する音声通信を行う（ステップＳ６０６）。非接触通信が終了すると、音声通信部１７２は、計時部１５を制御して所定時間待機し（ステップＳ６０２）、ステップＳ６０１に処理は戻る。
【００７６】
このように、第３の実施形態では、第１の実施形態とは異なり、非接触通信部１７１と音声通信部１７２とが連携して一連の通信処理を行う。具体的には、第３の実施形態では、音声通信部１７２が通信端末２０の近接を検知したときに、非接触通信部１７１がポーリング信号を送信して当該通信端末２０が非接触ＩＣカード機能を有するか否かを判別する。従って、本実施形態に係るリーダライタ１０は、非接触通信部１７１と音声通信部１７２とがそれぞれ独立してレスポンス信号の有無と近接の有無とを常時判別している第１の実施形態に係るリーダライタ１０よりも、消費電力を少なくすることが可能となる。
【００７７】
＜第４の実施形態＞
続いて、本発明の第４の実施形態に係るリーダライタ１０について説明する。第４の実施形態でも、第２の実施形態と同様に、非接触通信部１７１と音声通信部１７２とが連携して動作することを特徴とする。なお、第４の実施形態に係るリーダライタ１０は、第１の実施形態と同様の構成を有するため、構成の説明については省略する。
【００７８】
第４の実施形態に係るリーダライタ１０で行われる通信処理について、図７のフローチャートを参照して説明する。
【００７９】
リーダライタ１０に電源が投入された場合又は処理開始の指示入力を受信した場合等に、通信処理は開始される。まず、音声通信部１７２は、通信端末２０の近接の有無を判別する（ステップＳ７０１）。具体的には、音声通信部１７２は、近接検知部１１から近接信号が入力されたか否かを判別する。この際、制御部１７は、近接検知部１１の検出感度が高くなるように制御する。このため、近接検知部１１による通信端末２０の検出可能範囲は、検出感度が低い場合よりも広くなる。
【００８０】
近接が無いと判別された場合（ステップＳ７０１；Ｎｏ）、音声通信部１７２は、計時部１５を制御して所定時間待機し（ステップＳ７０２）、ステップＳ７０１に処理は戻る。
【００８１】
近接が有ると判別された場合（ステップＳ７０１；Ｙｅｓ）、非接触通信部１７１は、ポーリング信号１６３を送信させる（ステップＳ７０３）。そして、非接触通信部１７１は、ポーリング信号１６３を送信してから所定時間内に、レスポンス信号を非接触ＩＣチップ１２が受信したか否かを判別する（ステップＳ７０４）。
【００８２】
レスポンス信号を受信したと判別された場合（ステップＳ７０４；Ｙｅｓ）、非接触ＩＣカード機能を有している通信端末２０１は、リーダライタ１０に近接しているとみなされる。従って、非接触通信部１７１は、非接触ＩＣチップ１２を制御して、通信端末２０１と非接触通信を行う（ステップＳ７０５）。非接触通信が終了すると、非接触通信部１７１は、計時部１５を制御して所定時間待機し（ステップＳ７０２）、ステップＳ７０１に処理は戻る。
【００８３】
レスポンス信号を受信していないと判別された場合（ステップＳ７０４；Ｎｏ）、音声通信部１７２は、通信端末２０の近接の有無を判別する（ステップＳ７０６）。具体的には、音声通信部１７２は、近接検知部１１から近接信号が入力されたか否かを判別する。この際、制御部１７は、近接検知部１１の検出感度が低くなるように制御する。このため、近接検知部１１による通信端末２０の検出可能範囲は、ステップＳ７０１における検出感度が高い場合よりも狭くなる。
【００８４】
近接が無いと判別された場合（ステップＳ７０６；Ｎｏ）、音声通信部１７２は、計時部１５を制御して所定時間待機し（ステップＳ７０２）、ステップＳ７０１に処理は戻る。
【００８５】
近接が有ると判別された場合（ステップＳ７０６；Ｙｅｓ）、音声通信部１７２は、ステップＳ７０６で近接有りと判別された通信端末２０と音声情報を送受信する音声通信を行う（ステップＳ７０７）。非接触通信が終了すると、音声通信部１７２は、計時部１５を制御して所定時間待機し（ステップＳ７０２）、ステップＳ７０１に処理は戻る。
【００８６】
このように、第４の実施形態では、第１の実施形態とは異なり、非接触通信部１７１と音声通信部１７２とが連携して一連の通信処理を行う。具体的には、第４の実施形態では、音声通信部１７２が通信端末２０の近接を検知したときに、非接触通信部１７１がポーリング信号を送信して当該通信端末２０が非接触ＩＣカード機能を有するか否かを判別する。従って、本実施形態に係るリーダライタ１０は、非接触通信部１７１と音声通信部１７２とがそれぞれ独立してレスポンス信号の有無と近接の有無とを常時判別している第１の実施形態に係るリーダライタ１０よりも、消費電力を少なくすることが可能となる。        
【００８７】
なお、上記各実施形態は、種々の変形、および、応用が可能である。例えば、リーダライタ１０の近接検知部１１は、加速度センサによって構成されてもよい。そして、通信端末２０がリーダライタ１０と通信をする場合、通信端末２０とリーダライタ１０とが衝突し、近接検知部１１が閾値以上の加速度を検知した場合、近接検知部１１は、近接があったものとして、その検知信号を制御部１７に出力するようにしてもよい。また、近接検知部１１は、近接センサと加速度センサと組み合わせて構成されて、両センサの検知信号を制御部１７に出力してもよい。
【００８８】
また、送信時の音声通信の処理（図４（Ａ））として、リーダライタ１０は、送信データ１６２を音声信号に変換して送信した。しかし、リーダライタ１０は、送信データ１６２を音声化した音声信号を予め記憶部１６に記憶しておき、音声信号送信時には予め記憶されている音声信号を送信するようにしてもよい。
【００８９】
また、リーダライタ１０は、インターネットを介してサーバと接続し、通信端末２０に送信するデータをサーバから取得したり、通信端末２０から受信したデータをサーバに送信してもよい。
【００９０】
また、本実施形態のリーダライタ１０は、専用のハードウェアに限られるものではなく、通常のコンピュータシステムによっても実現することができる。
【００９１】
具体的には、上記実施形態では、リーダライタ１０が実行する動作プログラム１６１が、記憶部１６に予め記憶されているものとして説明した。しかし、上述の処理動作を実行させるためのプログラムは、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納されてもよい。この場合、プログラムがコンピュータにインストールされることにより、上述の処理を実行するリーダライタ１０が構成される。
【００９２】
本願は、２０１０年１２月３日に出願された日本国特許出願２０１０−２７０９２４号に基づく。本明細書中に日本国特許出願２０１０−２７０９２４号の明細書、特許請求の範囲、及び図面全体を参照として取り込むものとする。
【符号の説明】
【００９３】
１０    リーダライタ
１１    近接検知部
１２    非接触ＩＣチップ
１３    放音部
１４    集音部
１５    計時部
１６    記憶部
１６１    動作プログラム
１６２    送信データ
１６３    ポーリング信号
１７    制御部
１７１    非接触通信部
１７２    音声通信部
２０    通信端末
【図１】
2012046885.tif 000003
【図２】
2012046885.tif 000004
【図３Ａ】
2012046885.tif 000005
【図３Ｂ】
2012046885.tif 000006
【図４Ａ】
2012046885.tif 000007
【図４Ｂ】
2012046885.tif 000008
【図５】
2012046885.tif 000009
【図６】
2012046885.tif 000010
【図７】
2012046885.tif 000011
【国際調査報告】
2012046885.tif 000012
2012046885.tif 000013
2012046885.tif 000014
2012046885.tif 000015